(57)【要約】【課題】  画像が印刷された印刷用紙の保管が容易な印刷用紙、展示用セット及び印刷方法を提供する。【解決手段】  大判用紙１２は、ミシン目Ｍ１１，Ｍ１２によって複数の同形状の第１区画片Ａ１〜第４区画片Ａ４に区画される。そして、第１区画片Ａ１〜第４区画片Ａ４の印刷面１２ａにはそれぞれ画像Ｂ１〜画像Ｂ４が印刷される。大判用紙１２の非印刷面には、ミシン目Ｍ１１，Ｍ１２に沿って折り曲げを指示する折り曲げ指標と切り取りを指示する切り取り指標を設けた。【選択図】      図２
2005161656.tif 000002
【特許請求の範囲】
【請求項１】
印刷面に印刷手段にて画像が印刷される四角形状の印刷用紙において、
前記印刷用紙に複数の同形状の区画片を区画する区画線を複数設ける共に、前記各区画線に折り曲げを指示する折り曲げ指標と切り取りを指示する切り取り指標の少なくともいずれか一方を形成したことを特徴とする印刷用紙。
【請求項２】
請求項１に記載の印刷用紙において、前記区画線は、前記印刷用紙の非印刷面に設けたことを特徴とする印刷用紙。
【請求項３】
請求項１又は２に記載の印刷用紙において、前記印刷用紙の非印刷面には、前記折り曲げ指標及び前記切り取り指標の使用方法を表示したことを特徴とする印刷用紙。
【請求項４】
請求項１〜３のいずれか１つに記載の印刷用紙において、前記区画線は、印刷用紙上に形成されたミシン目であることを特徴とする印刷用紙。
【請求項５】
請求項１〜４のいずれか１つに記載した複数の同形状の区画片を区画する区画線を複数設ける共に、前記各区画線に折り曲げを指示する折り曲げ指標と切り取りを指示する切り取り指標の少なくともいずれか一方を形成した印刷用紙と、
前記印刷用紙を前記指標に従って複数の区画片にして折り畳んだ状態における一端を背表紙として綴じるための背表紙部材と
を備えることを特徴とする展示用セット。
【請求項６】
請求項１〜４のいずれか１つに記載の印刷用紙を印刷する印刷方法において、
前記各区画片に画像を印刷するための印刷画像データを記憶する記憶手段と、
前記印刷画像データに基づいて前記印刷用紙の各区画片に各画像を印刷する印刷手段と、
前記記憶手段と前記印刷手段を制御する管理コンピュータと
を含む印刷システムを用い、
ユーザの端末機から、前記印刷画像データを取得する印刷画像データ取得段階と、
前記印刷画像データ取得段階で取得した前記印刷画像データを前記記憶手段に記憶する記憶段階と、
前記記憶手段に記憶した前記印刷画像データに基づいて前記印刷手段にて前記印刷用紙の各区画片に各画像を印刷する印刷段階と
を含むことを特徴とする印刷方法。
【発明の詳細な説明】
【技術分野】
【０００１】
本発明は、印刷用紙、展示用セット及び印刷方法に関する。
【背景技術】
【０００２】
近年、大型プリンタは、高解像度化、多階調或いは高速印刷化等の向上に伴い、幅広い用途への利用が望まれている。しかし、大型プリンタは、その装置全体が大型であるため設置場所を確保することは難しく、また、費用は高額である。そのため、個人のユーザは大型プリンタを手軽に使用できず、主に企業等によって所有されていることが多い。
【０００３】
ところで、プリンタやサーバの共有化が普及し、コンビニや印刷店等では、いろいろなサービスが行われている。例えば、ユーザは、個人的に好みのカレンダを作りたい場合や拡大写真を貼着させてポスターを作りたい場合、基となるネガやデータを印刷店に持参し印刷を依頼する。印刷店では、ユーザから受け取ったネガやデータを基に、印刷店に設置されている印刷設備を用いて大判用紙に印刷を行わせる。そして、ユーザは、個人専用のカレンダやポスター等を装飾し観賞することができるようになっていた。
【０００４】
そして、大判用紙は、観賞や広告等としての目的を果たした後、他の用途に使用しづらいため使い捨てにされることがある。また、大判用紙を保存したい場合には、大判用紙を丸めて収容ケースに保管する。このような場合、丸めて大判用紙を収容ケースにて保管し、暫くした後に展開しようとする場合、大判用紙はＵ字状に曲がってしまう。そして、Ｕ字状に曲がってしまった大判用紙を強制的に逆Ｕ字状に矯正した場合、大判用紙は、美観上、汚くなる。
【０００５】
そこで、通常、大判用紙を折り曲げて縮小し保存することが用いられている。このような方法は、折り曲げ部に画像がかかってしまうことが多い。そして、大判用紙を展開すると、大判用紙の画像には折れ線が入ってしまい、大判用紙の美観は悪くなる。
【０００６】
一方、額縁等を使用せずに大判用紙を丸めずそのまま壁等に吊り下げて保存することもできるが、大判用紙は長期に亘り埃や塵等に曝されることになり、大判用紙の表面が汚れて劣化してしまう。
【０００７】
そこで、大判用紙を保存する方法として、映像プリント装置が提案されている（例えば、特許文献１参照。）。この方法では、大判用紙に印刷がなされた後、大判用紙の表面にはラミネート加工を施している。このため、大判用紙は、その表面が汚れや埃などに曝されて劣化することを防がれている。
【特許文献１】特開２００１−０８３６８６号公報
【発明の開示】
【発明が解決しようとする課題】
【０００８】
ところが、この保存方法では、大判用紙は劣化することなく長期的に保存することはできるが、印刷後には特別な表面加工をなすための大型の製造装置を必要とする。また、大判用紙は、ラミネート加工されるため、大判用紙の用途が限られてしまう。例えば、ユーザが書き込み等を行いたい場合には、ラミネート加工に適した筆記具等を用いる必要がある。
【０００９】
また、ラミネート加工されていない大判用紙は、ラミネート加工された大判用紙に比較し容易に折り曲げ、折り曲げた状態で保存することも可能ではある。しかし、一度折り曲
げた後に大判用紙を展開すると、折り曲げられた大判用紙には折れ曲がり線が入ってしまう。
【００１０】
本発明は、このような上記問題点に着目してなされたものであり、その目的は、画像が印刷された印刷用紙の保管が容易な印刷用紙、展示用セット及び印刷方法を提供することにある。
【課題を解決するための手段】
【００１１】
本発明の印刷用紙は、印刷面に印刷装置にて画像が印刷される四角形状の印刷用紙において、前記印刷用紙に複数の同形状の区画片を区画する区画線を複数設ける共に、前記各区画線に折り曲げを指示する折り曲げ指標と切り取りを指示する切り取り指標の少なくともいずれか一方を形成した。
【００１２】
本発明の印刷用紙によれば、複数の区画片の一部分を折り曲げ指標又は切り取り指標に従って折り曲げたり、切り離すことで、複数の区画片を、折り畳んだり、展開したりすることができ、印刷用紙の元の大きさを区画片の小さなサイズに変更できる。従って、印刷用紙をコンパクトな保管形体にすることができる。
【００１３】
この印刷用紙において、前記区画線は、前記印刷用紙の非印刷面に設けた。
この発明によれば、印刷用紙には、区画線が非印刷面に設けられている。従って、区画線及び指標は印刷面に現れないので画像が印刷される側の美観を損なうことはない。
【００１４】
この印刷用紙において、前記印刷用紙の非印刷面には、前記折り曲げ指標及び前記切り取り指標の使用方法を表示した。
この発明によれば、印刷用紙には折り曲げ指標及び前記切り取り指標の使用方法が表示されているため、保管方法を説明するための説明書き等を別に用意する必要がない。
【００１５】
この印刷用紙において、前記区画線は、印刷用紙上に形成されたミシン目である。
この発明によれば、印刷用紙にはミシン目が形成されているので、ユーザは道具を用いることなく切り取り指標に従って切り離すことができるとともに、折り曲げ指標に従って区画片を容易に折り曲げることができ、印刷用紙を簡単かつ短時間に保存形体にすることができる。
【００１６】
本発明の展示用セットは、請求項１〜４のいずれか１つに記載した複数の同形状の区画片を区画する区画線を複数設ける共に、前記各区画線に折り曲げを指示する折り曲げ指標と切り取りを指示する切り取り指標の少なくともいずれか一方を形成した印刷用紙と、前記印刷用紙を前記指標に従って複数の区画片にして折り畳んだ状態における一端を背表紙として綴じるための背表紙部材とを備える。
本発明の展示用セットによれば、コンパクトに折り畳まれた印刷用紙を見開き可能に製本することができる。
【００１７】
本発明の印刷方法は、請求項１〜４のいずれか１つに記載の印刷用紙を印刷する印刷方法において、前記各区画片に画像を印刷するための印刷画像データを記憶する記憶手段と、前記印刷画像データに基づいて前記印刷用紙の各区画片に各画像を印刷する印刷手段と、前記記憶手段と前記印刷手段を制御する管理コンピュータとを含む印刷システムを用い、ユーザの端末機から、前記印刷画像データを取得する印刷画像データ取得段階と、前記印刷画像データ取得段階で取得した前記印刷画像データを前記記憶手段に記憶する記憶段階と、前記記憶手段に記憶した前記印刷画像データに基づいて前記印刷手段にて前記印刷用紙の各区画片に各画像を印刷する印刷段階とを含む。
【００１８】
本発明の印刷方法によれば、管理コンピュータは、ユーザの端末機からネットワーク等を介して取得した印刷画像データを、保管が容易な印刷用紙の各区画片に印刷することができる。
【発明を実施するための最良の形態】
【００１９】
以下、本発明を具体化した一実施形態を、図１〜図７に従って説明する。
額縁に収めて吊り下げられている大判用紙について、図１に従って説明する。
図１に示すように、額縁１１は、背面には吊り下げ紐１１ａを備え、額縁１１の内部には大判用紙１２を収容している。印刷用紙としての大判用紙１２は、長方形状をなし、その表面（印刷面１２ａ）には４つの画像Ｂ１〜Ｂ４が印刷されている。額縁１１は、吊り下げ紐１１ａを介して壁から垂下し、大判用紙１２に印刷された画像Ｂ１〜Ｂ４が観賞されるようになっている。
【００２０】
図２は印刷面１２ａからみた大判用紙１２の正面図を示し、画像Ｂ１〜Ｂ４が印刷される大判用紙１２は、長方形状をなした一般的な用紙である。大判用紙１２には、縦横中央に十字状の区画線としてのミシン目Ｍ１１，Ｍ１２が形成されている。そして、ミシン目Ｍ１１，Ｍ１２によって、大判用紙１２が４つの第１〜第４区画片Ａ１〜Ａ４の区画され、第１〜第４区画片Ａ１〜Ａ４の印刷面１２ａ側にそれぞれ画像Ｂ１〜Ｂ４が印刷されている。
【００２１】
図３は、非印刷面１２ｂ側からみた大判用紙１２の背面図を示す。その非印刷面１２ｂにおいて、前記区画片Ａ１〜Ａ４の一側であって前記ミシン目Ｍ１１，Ｍ１２に沿った位置には、それぞれ折り曲げ指標１５または切り取り指標１６が印刷されている。折り曲げ指標１５は、「山折り」、「谷折り」といった折り曲げ方向を指示する指標である。因みに、第１区画片Ａ１と第４区画片Ａ４との間、第２区画片Ａ２と第３区画片Ａ３との間を、それぞれ区画するミシン目Ｍ１２には、「山折り」の指標が印刷されている。また、第３区画片Ａ３と第４区画片Ａ４との間を、それぞれ区画するミシン目Ｍ１１には、「谷折り」の指標が印刷されている。一方、切り取り指標１６は、「切り取り」といった隣接する区画片同士の切り離しを指示する指標である。因みに、第１区画片Ａ１と第２区画片Ａ２との間を、それぞれ区画するミシン目Ｍ１１に沿って切り離す「切り取り」の指標が印刷されている。
【００２２】
また、大判用紙１２の非印刷面１２ｂには、大判用紙１２の保管方法を印刷した説明部１７が設けられている。この説明部１７には、額縁１１での展示が終わった画像Ｂ１〜Ｂ４が印刷された大判用紙１２の保管方法が印刷されている。
【００２３】
次に、上記のように構成した大判用紙１２を額縁１１から取り出して保管する方法を説明する。
まず、図４に示すように、額縁１１から取り出した大判用紙１２を、前記説明部１７に記載した内容と切り取り指標１６に従って、図４に示すように、大判用紙１２の上側部Ｌ１３から大判用紙１２の中央まで、ミシン目Ｍ１１に沿って分割する。このとき、大判用紙１２には、ミシン目Ｍ１１が形成されていることから、はさみやナイフを用いる必要はなく、容易に切り離すことができる。これによって、第１区画片Ａ１と第２区画片Ａ２が分離される。次に、図４に示すように、互いに分離された第１区画片Ａ１及び第２区画片Ａ２を、それぞれ横のミシン目Ｍ１２に沿って折り曲げる。このとき、折り曲げ指標１５に従って、大判用紙１２の第１区画片Ａ１を、その印刷面１２ａが第３区画片Ａ３の印刷面１２ａと、向かい合うようにミシン目Ｍ１２を山折りにする。同様に、折り曲げ指標１５に従って、大判用紙１２の第２区画片Ａ２を、その印刷面１２ａが第４区画片Ａ４の印刷面１２ａと、向かい合うようにして、ミシン目Ｍ１１を谷折りにする。
【００２４】
次に、折り曲げ指標１５に従って、第３区画片Ａ３と第４区画片Ａ４を縦ミシン目Ｍ１１に沿って折り曲げる。このとき、図４に示すように、大判用紙１２の第３区画片Ａ３を、その非印刷面１２ｂが第４区画片Ａ４の非印刷面１２ｂと、向かい合うようにミシン目Ｍ１２を山折りにする。そして、図４に示すように、谷部及び山部を強く曲げ、平面状になるようにする。これにより、大判用紙１２は、画一化された第１〜第４区画片Ａ１〜Ａ４が冊子状にまとめられた保管形体となる。そして、予め画像Ｂ１〜Ｂ４が印刷される大判用紙１２とともに用意されていた、背表紙部材としての背表紙１８を、冊子状にまとめられた第１区画片Ａ１〜第４区画片Ａ４の一端を貼り付けることによって製本されてアルバムが完成する。
【００２５】
そして、最後に、図４に示すように、アルバムを展示用セットを構成する収容ケース１９に収容することによって保管作業は終了する。
次に、上記のように構成された大判用紙１２の第１区画片Ａ１〜第４区画片Ａ４に画像Ｂ１〜Ｂ４を印刷する方法について説明する。
【００２６】
図５に示すように、プリントセンター３０は、ネットワークＮを介して、ユーザ３１の端末機３２に接続可能になるように構成されている。本実施形態のプリントセンター３０は、ユーザ３１が送信する画像データをプリンタＰによって前記大判用紙１２に印刷する。ユーザ３１は、プリントセンター３０に大判用紙１２の印刷を依頼する顧客であって、端末機３２を有している。端末機３２は、図示しない、ＣＰＵ、ＲＯＭ、ＲＡＭを備え、さらにネットワークＮに接続するモデム等の通信手段を備えている。また、端末機３２は、ディスプレイ３３を有する表示部３４、ディスプレイ３３の表示に従って、各種操作を行うための操作キー等の操作部３５、及び、撮像装置と接続可能な図示しない外部インターフェイスを備えている。この端末機３２は、例えばパーソナルコンピュータ等であって、図５に示すように、撮像装置としてのデジタルカメラＣと接続され、同カメラＣとの間でデータの送受信が可能となるように構成されている。
【００２７】
このように構成することで、端末機３２は、デジタルカメラＣによって撮像された画像を画像データとして取得でき、さらに、画像データをネットワークＮを介してプリントセンター３０に送信することができる。
【００２８】
プリントセンター３０は、管理コンピュータ３６と、記憶手段としてのユーザ情報記憶部３７及び印刷手段としての大型のプリンタＰを備えている。管理コンピュータ３６は、ユーザ情報記憶部３７及びプリンタＰを統括管理する。管理コンピュータ３６は、図示しないＣＰＵ、ＲＯＭ、ＲＡＭ及びネットワークＮに接続するモデム等の通信手段を備え、さらに、図示しない記憶部にユーザ情報記憶部３７及びプリンタＰを制御する制御プログラム、前記した印刷画像データに基づく印刷を支援する印刷支援プログラムを可能にしている。この管理コンピュータ３６は、ユーザ３１の端末機３２のネットワークＮを介して接続し、同端末機３２のディスプレイ３３に、印刷支援プログラムに基づいて、各種メニュー画面をディスプレイ３３に表示させる。これによって、プリントセンター３０は、ユーザ３１の端末機３２に接続し、印刷画像データが受信可能になっている。
【００２９】
ユーザ情報記憶部３７は、ユーザ３１の識別情報（名前、住所、認識番号等）、ユーザ３１から送信される画像データ、及び、ユーザ３１の指定する印刷情報等を記憶するためのものであって、管理コンピュータ３６に接続されている。
【００３０】
プリンタＰは、ユーザ情報記憶部３７に記憶されている印刷画像データ（ユーザ３１が送信した画像）を前記大判用紙１２に印刷するためのものであって、管理コンピュータ３６に接続されている。
【００３１】
即ち、管理コンピュータ３６は、印刷画像データ取得段階として、ネットワークＮを介してユーザ３１の端末機３２から画像データが送信されると、この画像データを、記憶段階として、ユーザ情報記憶部３７に記憶する。そして、管理コンピュータ３６は、印刷段階として、プリンタＰに記憶した印刷画像データに基づいて大判用紙１２の各区画片Ａ１〜Ａ４の印刷面１２ａに印刷させる。
【００３２】
上記のように構成されたプリントセンター３０に対して、ユーザ３１がネットワークＮを介してアクセスすると、管理コンピュータ３６は、ユーザ情報記憶部３７に記憶されている識別情報（名前、住所、認識番号等）に基づいて、ユーザ認識を行う。そして、認識が完了し整合すると、図６に示すメニュー画面Ｍ１をユーザ３１の端末機３２のディスプレイ３３に表示させるようになっている。
【００３３】
メニュー画面Ｍ１の右上側には、ファイル名入力欄４１が表示されている。ファイル名入力欄４１は、印刷する画像を指定するための入力欄である。ファイル名入力欄４１の下側には、画像読み出しボタン４２が表示されている。画像読み出しボタン４２は、ファイル名入力欄４１に入力されたファイル名の画像をデジタルカメラＣから読み出すためのボタンである。端末機３２は、画像読み出しボタン４２がクリックされると、入力されたファイル名の画像データをデジタルカメラＣから読み出し、その読み出した画像データに基づいて左側の画像表示部４３に画像を表示するようになっている。画像表示部４３は、大判用紙１２の各区画片Ａ１〜Ａ４に印刷する画像Ｂ１〜画像Ｂ４を表示するための表示部である。この画像表示部４３では、横に合計４つのイメージセルＧ１〜Ｇ４が表示されている。イメージセルＧ１〜Ｇ４は、画像Ｂ１〜画像Ｂ４のデジタルイメージの縮小バージョンであるサムネイルと称されるイメージを表示している。管理コンピュータ３６では、この画像表示部４３に表示されたイメージセルＧ１〜Ｇ４の画像を大判用紙１２の所定の区画片Ａ１〜Ａ４に画像Ｂ１〜Ｂ４として印刷されるように画像データを形成するようになっている。
【００３４】
画像読み出しボタン４２の下側には、画像削除ボタン４４が表示されている。画像削除ボタン４４は、読み出した画像を削除するためのボタンである。端末機３２は、画像表示部４３に表示されたイメージセルＧ１〜Ｇ４のいずれかが選択されてから画像削除ボタン４４がクリックされると、選択されたイメージセルを削除するようになっている。
【００３５】
メニュー画面Ｍ１の左下側には、用紙サイズ選択ボックス４５が表示されている。端末機３２は、用紙サイズ選択ボックス４５がクリックされると、プリンタＰが印刷する大判用紙１２のサイズを選択することができる。用紙サイズ選択ボックス４５の右側には、レイアウト選択ボックス４６が表示されている。レイアウト選択ボックス４６は、選択された用紙サイズに印刷させる画像データのレイアウトを選択することができる。端末機３２は、レイアウト選択ボックス４６がクリックされると、選択された用紙サイズに印刷させるレイアウトを選択することができる。なお、本実施形態では、レイアウト選択ボックス４６は、大判用紙１２に出力する画像データの数及び印刷の向きが設定されている。また、画像データの数は、図２に示したように、大判用紙１２の一面を均等に分割し、大判用紙１２のミシン目の所定位置を切り離すことによって、画一化された冊子状に形成することができる数が選択できるように設定されている。
【００３６】
レイアウト選択ボックス４６の上側には、プレビュー画面ボタン４７が表示されている。端末機３２は、プレビュー画面ボタン４７がクリックされると、画像表示部４３に表示されている画像データをプレビュー画面Ｍ２に表示するようになっている。
【００３７】
図７は、プレビュー画面ボタン４７がクリックされた場合に、ディスプレイ３３に表示されるプレビュー画面Ｍ２である。図７において、プレビュー画面Ｍ２は、画像表示部５
１と、ＧＵＩ操作がそれぞれ可能なメニュー画面ボタン５２と、印刷ボタン５３とが表示されている。画像表示部５１は、メニュー画面Ｍ１にて選択された画像データを、選択された各種条件に基づいて表示するための表示部である。画像表示部５１の右側には、メニュー画面Ｍ１に戻るためのメニュー画面ボタン５２が表示されている。メニュー画面ボタン５２がクリックされると、端末機３２は、メニュー画面Ｍ１を再びモニタに表示する。メニュー画面ボタン５２の下側には、印刷ボタン５３が表示されている。端末機３２は、印刷ボタン５３がクリックされると、メニュー画面Ｍ１を使って入力された情報を印刷画像データとして管理コンピュータ３６に送信するようになっている。
【００３８】
管理コンピュータ３６は、ネットワークＮを介して送信された印刷画像データを一旦ユーザ情報記憶部３７に記憶する。そして、管理コンピュータ３６は、ユーザ情報記憶部３７に記憶した印刷画像データに基づいてプリンタＰによって大判用紙１２の各区画片Ａ１〜Ａ４に画像Ｂ１〜Ｂ４を印刷する。
【００３９】
以上説明したように本実施形態によれば、以下の効果を得ることができる。
（１）本実施形態によれば、大判用紙１２は、ミシン目Ｍ１１，Ｍ１２に沿って切り離し可能に接続されている。そして、大判用紙１２を保管する際には、一部分を切り離したり、折り曲げたりしてサイズが小さく同形状の第１区画片Ａ１〜第４区画片Ａ４を重ね合わせた保管形体にすることができる。従って、コンパクトで、しかも、見開き可能な冊子にして保管することができる。
【００４０】
また、大判用紙１２の非印刷面１２ｂには、ミシン目Ｍ１１，Ｍ１２に沿って折り曲げ指標１５、切り取り指標１６を設けたので、大判用紙１２を保管形体にする作業が非常に簡単かつ短時間に行える。しかも、説明部１７に保管作業のための方法を印刷したので、間違えることなくより迅速に作業が遂行されるとともに、保管方法を説明するための説明書き等を別に用意する必要がない。
さらに、各指標１５，１６及び説明部１７を大判用紙１２の非印刷面１２ｂ側に印刷して印刷面１２ａに現れないようにしたので、展示の際に美観を損なうことはない。
【００４１】
（２）本実施形態によれば、端末機３２は、メニュー画面Ｍ１を使って大判用紙１２の各区画片Ａ１〜Ａ４に印刷するための印刷画像データを作成して管理コンピュータ３６に送信する。管理コンピュータ３６は、受信した印刷画像データに基づいてプリンタＰに制御して大判用紙１２の各区画片Ａ１〜Ａ４に画像Ｂ１〜Ｂ４を印刷する。このため、ユーザ３１は、大型のプリンタＰがなくても、プリントセンター３０で印刷して送付して貰うことによって、カスタマイズ化された大判用紙１２を観賞して楽しむことができる。
【００４２】
しかも、プリントセンター３０が、画像Ｂ１〜Ｂ４を印刷した大判用紙１２をユーザ３１の送付するとき、前記背表紙１８を合わせて展示用セットとして送付すれば、保管する際に製本してアルバムの形で保管することができる。
【００４３】
なお、本発明の実施形態は、以下のように変更してもよい。
○上記実施形態では、第１区画片Ａ１〜第４区画片Ａ４を区画する区画線をミシン目Ｍ１１，Ｍ１２で構成したが、これに限定されるものではなく、例えば線で区画するようにしてもよい。
【００４４】
○上記実施形態では、ミシン目Ｍ１１，Ｍ１２で４個の同形状の第１区画片Ａ１〜第４区画片Ａ４を形成したが、区画片の数は限定されない。例えば、図８（ａ）に示すように、ミシン目Ｍ２１，Ｍ２２，Ｍ２３を形成して大判用紙１２に６個の同形状の第１区画片Ａ１〜第６区画片Ａ６を設けるようにしてもよい。また、図８（ｂ）に示すように、ミシン目Ｍ３１，Ｍ３２，Ｍ３３，Ｍ３４を形成して大判用紙１２に９個の同形状の第１区画
片Ａ１〜第９区画片Ａ９を設けるようにしてもよい。さらに、図８（ｃ）に示すように、ミシン目Ｍ４１，Ｍ４２，Ｍ４３，Ｍ４４を形成して大判用紙１２に８個の同形状の第１区画片Ａ１〜第８区画片Ａ８を設けるようにしてもよい。さらにまた、図８（ｄ）に示すように、ミシン目Ｍ５１，Ｍ５２，Ｍ５３，Ｍ５４，Ｍ５５を形成して大判用紙１２に１２個の同形状の第１区画片Ａ１〜第１２区画片Ａ１２を設けるようにしてもよい。
【００４５】
この場合、図８（ａ）に示す大判用紙１２は、第１区画片Ａ１と第４区画片Ａ４との間、及び、第２区画片Ａ２と第５区画片Ａ５との間を切り離すことによって、見開き可能な冊子状にすることができる。また、図８（ｂ）に示す大判用紙１２は、第３区画片Ａ３と第６区画片Ａ６との間、第２区画片Ａ２と第５区画片Ａ５との間、第５区画片Ａ５と第８区画片Ａ８との間、第４区画片Ａ４と第７区画片Ａ７との間をそれぞれ切り離すことによって、見開き可能な冊子状にすることができる。さらに、図８（ｃ）に示す大判用紙１２は、第１区画片Ａ１と第５区画片Ａ５との間、第２区画片Ａ２と第６区画片Ａ６との間、及び、第３区画片Ａ３と第７区画片Ａ７との間を切り離すことによって、見開き可能な冊子状にすることができる。
【００４６】
さらに、図８（ｄ）に示す大判用紙１２は、第１区画片Ａ１と第５区画片Ａ５との間、第２区画片Ａ２と第６区画片Ａ６との間、第３区画片Ａ３と第７区画片Ａ７との間を切り離す。また、第６区画片Ａ６と第１０区画片Ａ１０との間、第７区画片Ａ７と第１１区画片Ａ１１との間、第８区画片Ａ８と第１２区画片Ａ１２との間との間を切り離すことによって、見開き可能な冊子状にすることができる。
【００４７】
○上記実施形態では、画像データ等の画像を大判用紙に印刷するとしたが、利用される用途は、これに限らず、生産工程表やスケジュール管理表等に用いてもよい。
○上記実施形態では、電子ファイルの送受信には、ネットワークＮを介したが、これに限らず、例えば、ＬＡＮ、公衆電話網等のネットワークを利用してサービスを提供してもよい。
【００４８】
○上記実施形態では、大判用紙１２にはミシン目Ｍ１１，Ｍ１２が形成されており、一部分を切り離すことによって、冊子状にした。これを、例えば、図９に示すように、大判用紙１２がその左右両側部であって、各区画片Ａ１〜Ａ４に対応する位置に上下一対の孔Ｈがあらかじめ形成されたものを使用してもよい。そして、上記実施形態のように、大判用紙１２に印刷を行う。そして、額縁１１の額で大判用紙１２の孔Ｈが見えないように額縁１１に収容する。額縁１１を外し、ミシン目Ｍ１２を切り取り、大判用紙１２を２分割する。次に、分割された大判用紙１２の第１区画片Ａ１〜第４区画片Ａ４が表面になるようにして折り曲げる。そして、この折り曲げられた大判用紙１２は、バインダー７１に綴じられるようにしてもよい。
【図面の簡単な説明】
【００４９】
【図１】本発明における大判用紙の全体概要図。
【図２】本発明における大判用紙の正面図。
【図３】本発明における大判用紙の背面図。
【図４】本発明における大判用紙の保存方法を説明するための概要図。
【図５】本発明における印刷システムを説明するための概要図。
【図６】本発明におけるメニュー画面図。
【図７】本発明におけるプレビュー画面図
【図８】（ａ）〜（ｄ）は本発明における大判用紙の別例を説明するための説明図。
【図９】本発明における大判用紙の別例を説明するための説明図。
【符号の説明】
【００５０】
１２…印刷用紙としての大判用紙、１２ａ…印刷面、１２ｂ…非印刷面、１５…折り曲げ指標、１６…切り取り指標、１８…背表紙部材としての背表紙、１９…展示用セットを構成する収容ケース、３１…ユーザ、３２…端末機、３６…管理コンピュータ、３７…記憶手段としてのユーザ情報記憶部、Ｐ…印刷手段としてのプリンタ、Ｎ…ネットワーク、Ａ１〜Ａ１２…第１区画片〜第１２区画片、Ｍ１１，Ｍ１２，Ｍ２１〜Ｍ２３，Ｍ３１〜Ｍ３４，Ｍ４１〜Ｍ４４，Ｍ５１〜Ｍ５５…区画線としてのミシン目、Ｂ１〜Ｂ１２…画像。
【図１】
2005161656.tif 000003
【図２】
2005161656.tif 000004
【図３】
2005161656.tif 000005
【図４】
2005161656.tif 000006
【図５】
2005161656.tif 000007
【図６】
2005161656.tif 000008
【図７】
2005161656.tif 000009
【図８】
2005161656.tif 000010
【図９】
2005161656.tif 000011